(57)【要約】システム（１００）はCTスキャナ（１０１）を含む。CTスキャナは、検査領域（１１２）を通過する放射を放出する放射源（１０８）と、検査領域をはさんで前記源の反対側に位置する放射感応検出器であって、前記検査領域およびその中の被験体の一部を通過する放射を検出してそれを示す信号を生成する放射感応検出器（１１０）と、前記被験体を前記検査領域内で位置させる被験体台（１１４）とを備える。HIFU装置（１２４）は、超音波プローブ（１２６）を含む。主コントローラ（１４２）は、前記CTスキャナおよび前記HIFU装置の両方の動作を制御する。処置ナビゲーター（１４０）は、グラフィカル・ユーザー・インターフェースにおいて、前記HIFU装置の少なくとも一つの基準マーカーに対する前記超音波プローブの位置の、前記スキャナによって得られたCTデータを、先に生成されたHIFU手順計画に重畳させて視覚的に呈示する。
2015512671.tif 000002
【特許請求の範囲】
【請求項１】
CTスキャナであって：
検査領域を通過する放射を放出する放射源；
前記検査領域をはさんで前記源の反対側に位置する放射感応検出器であって、前記検査領域およびその中の被験体の一部を通過する放射を検出してそれを示す信号を生成する放射感応検出器；および
前記被験体を前記検査領域内で位置させる、基部を含んでいる被験体台を含んでいる、
CTスキャナと；
前記被験体台の基部に統合されている、超音波プローブを含んでいるHIFU装置と；
前記CTスキャナおよび前記HIFU装置の両方の動作を制御する主コントローラと；
グラフィカル・ユーザー・インターフェースにおいて、HIFU手順のための少なくとも一つの基準マーカーに対する前記超音波プローブの位置を示す、前記スキャナによって得られたCT画像データを、先に生成されたHIFU手順計画に重畳させて視覚的に呈示する処置ナビゲーターとを有する、
システム。
【請求項２】
前記少なくとも一つの基準マーカーに対する前記超音波プローブの位置の変化が、前記先に生成されたHIFU手順計画に重畳された前記CTデータの前記視覚的な呈示において視覚的に追跡される、請求項１記載のシステム。
【請求項３】
グラフィカル・ユーザー・インターフェースにおいて、前記被験体の先に得られたCT体積データを視覚的に呈示し、ユーザーによって同定されたHIFU手順ゾーンを示す信号を受領し、前記先に得られたCT体積データおよび前記HIFU手順ゾーンに基づいて前記HIFU手順計画を生成する処置プランナーをさらに有する、
請求項１または２記載のシステム。
【請求項４】
前記先に得られたCT体積データが前記被験体のMR、PETまたはUSデータと融合され、前記HIFU手順計画はその組み合わされたデータおよび前記HIFU手順ゾーンに基づいて生成される、請求項３記載のシステム。
【請求項５】
前記被験体台が：
アパーチャと；
前記アパーチャが閉鎖される第一の位置と前記アパーチャが開放される第二の位置との間で動くよう構成された窓とを有し、
前記超音波プローブは前記アパーチャの背後に位置され、前記窓が前記第二の位置にあるときに前記HIFU手順の間に前記被験体にHIFU超音波を加えるよう作動させられる、
請求項１ないし４のうちいずれか一項記載のシステム。
【請求項６】
前記被験体台に取り付けられたプローブ・ホルダーをさらに有し、前記プローブ・ホルダーは前記アパーチャの背後の位置に前記超音波プローブを保持する、
請求項５記載のシステム。
【請求項７】
前記プローブ・ホルダーが、少なくとも二つの位置の間で動くよう構成された関節式アームを有し、前記少なくとも二つの位置の間で前記関節式アームを動かすことが、前記プローブを前記少なくとも二つの位置の間で動かす、
請求項６記載のシステム。
【請求項８】
前記少なくとも二つの位置の間で前記関節式アームを電子的に動かすプローブ・ホルダー・コントローラをさらに有する、
請求項６または７記載のシステム。
【請求項９】
前記HIFU手順が、関心対象組織への薬投与と関連した組織アブレーション手順または組織温熱療法手順からなる手順の群からの手順である、請求項１ないし８のうちいずれか一項記載のシステム。
【請求項１０】
前記HIFU装置が物理的に前記被験体台に統合されている、請求項１ないし９のうちいずれか一項記載のシステム。
【請求項１１】
前記処置ナビゲーターが、前記グラフィカル・ユーザー・インターフェースにおいて、リアルタイムCTデータを、前記先に生成されたHIFU手順計画にリアルタイムで重畳させて視覚的に呈示する、請求項１ないし１０のうちいずれか一項記載のシステム。
【請求項１２】
CTスキャナを使って、被験体のHIFU手順との関連でHIFU装置のHIFU超音波プローブのCT画像データを収集する段階と；
前記CT画像データを、三次元体積画像データおよび視覚的に同定されたHIFU処置ゾーンを含むHIFU手順計画の視覚的呈示の上に重畳する段階と；
前記視覚的に呈示された重畳されたデータを使って、前記HIFU超音波プローブを、前記HIFU処置ゾーンと整列させる段階であって、前記HIFU超音波プローブは前記CTスキャナの被験体台の基部に統合されたHIFU装置の一部である、段階と；
前記視覚的に呈示された重畳されたデータ中の前記HIFU超音波プローブの位置における変化を視覚的に追跡する段階とを含む、
方法。
【請求項１３】
前記被験体台のテーブルトップのアパーチャを覆う窓を開く段階であって、前記HIFU超音波プローブは前記アパーチャの下に位置されている、段階と；
前記窓が開いた前記アパーチャを通じた前記被験体の処置のために、前記HIFU超音波プローブを、前記HIFU処置ゾーンと整列させる段階とをさらに含む、
請求項１２記載の方法。
【請求項１４】
前記HIFU手順を実行していないときに、前記窓を閉じ、それにより前記アパーチャを覆う段階をさらに含む、
請求項１３記載の方法。
【請求項１５】
前記HIFU超音波プローブを支持する前記HIFU装置の関節式アームを動かして、前記HIFU超音波プローブを前記アパーチャの外に動かす段階をさらに含む、請求項１２または１３記載の方法。
【発明の詳細な説明】
【技術分野】
【０００１】
下記は概括的には計算器断層撮影（CT）‐高密度焦点式超音波（HIFU）システムおよび／または方法に関する。
【背景技術】
【０００２】
計算器断層撮影（CBCT）スキャナは、放射源およびその反対側に位置する二次元放射感応検出器アレイを含み、単一のガントリー回転のうちに被験体のスキャンされる部分の三次元（3D）体積データを収集できる。Cアーム構成では、源はCアームの一方に、検出器アレイはCアームの他端に位置し、「C」の内部で両者の間に検査領域を形成する。Cアームは枢動可能に支持されており、枢動点のまわりに枢動して源および検出器を一つまたは複数の異なる角度におけるデータの収集のために位置させるよう構成されている。
【０００３】
高密度焦点式超音波（HIFU）装置は高強度の超音波を生成し、該超音波は、関心対象の組織（たとえば腫瘍）に焦点を合わせられてアブレーションまたは放射および／または薬（たとえば化学）投与と関連した温熱療法のために関心対象の組織を加熱する。そのような手順は画像によって案内されてきた。画像は、アブレーションまたは温熱療法手順を計画および追跡するために使われる。磁気共鳴（MR）撮像および超音波（US）撮像は、アブレーションまたは温熱療法手順を計画および追跡するために使われる画像を生成するために使われてきた二つの撮像モダリティである。
【発明の概要】
【発明が解決しようとする課題】
【０００４】
限定しない例として、以下は、MR撮像に案内された手順との関連で薬投与の例を記述する。患者内でのカテーテルまたは針の配置といった手順はしばしば介入的放射線医学（IR）設備において実行される。この設備では、X線透視法などが、患者内でカテーテルまたは針を進めるのを案内するために使われる。患者は次いで、薬物の送達中のHIFUによるアブレーションまたはHIFUによる温熱療法のためにMR設備に移送される。
【０００５】
しかしながら、カテーテルまたは針位置の検証および／または何らかの問題の検査は患者がIR設備に移送し戻されることを要求する。残念ながら、これは患者に対して利用可能なオプションを妨げる。さらに、アブレーションおよび温熱療法手順は数時間かかることがあり、よって、患者がアブレーションまたは温熱療法手順のためにMR設備にいる間は、MR設備は他の患者のMRスキャンのために利用できなくなる。さらに、MRはすべての病院で容易に利用できるものではなく、高価であり、USは非表面患部の処置のための好適な画像解像度および品質を提供しない。
【０００６】
本稿に記載される諸側面は、上記の問題その他に対処する。
【課題を解決するための手段】
【０００７】
ある側面では、システムはCTスキャナを含む。CTスキャナは、検査領域を通過する放射を放出する放射源と、検査領域をはさんで前記源の反対側に位置する放射感応検出器であって、前記検査領域およびその中の被験体の一部を通過する放射を検出してそれを示す信号を生成する放射感応検出器と、前記被験体を前記検査領域内で位置させる被験体台とを備える。HIFU装置は、超音波プローブを含み、物理的に前記被験体台に統合されている。主コントローラは、前記CTスキャナおよび前記HIFU装置の両方の動作を制御する。処置ナビゲーターは、グラフィカル・ユーザー・インターフェースにおいて、前記HIFU装置の少なくとも一つの基準マーカー（fiducial  marker）に対する前記超音波プローブの位置の、前記スキャナによって得られたCTデータを、先に生成されたHIFU手順計画に重畳させて視覚的に呈示する。
【０００８】
もう一つの側面では、方法が、CTスキャナを使って、被験体のHIFU手順との関連でHIFU装置のHIFU超音波プローブのCT画像データを収集することを含む。ここで、前記HIFU装置は前記スキャナと統合されている。本方法はさらに、前記CT画像データを、三次元体積画像データおよび視覚的に同定されたHIFU処置ゾーンを含むHIFU手順計画の視覚的呈示の上に重畳することを含む。本方法はさらに、視覚的に呈示された重畳されたデータを使って、HIFU超音波プローブを、HIFU処置ゾーンと整列させることを含む。本方法はさらに、視覚的に呈示された重畳されたデータ中のHIFU超音波プローブの位置における変化を視覚的に追跡することを含む。本方法はさらに、整列されたHIFU超音波プローブを用いてHIFU手順を実行することを含む。
【０００９】
もう一つの側面では、コンピュータ可読記憶媒体がコンピュータ可読命令をエンコードされる。コンピュータ可読命令は、プロセッサによって実行されたときに、該プロセッサに、被験体のためのHIFU手順計画との関連でHIFU超音波プローブのCT画像データを、被験体の以前に収集された体積データの上に重畳して表示するグラフィカル・ユーザー・インターフェースを視覚的に呈示させる。該HIFU手順計画は、HIFU処置ゾーンを同定するグラフィック印を含む。ここで、視覚的な呈示は、前記HIFU処置ゾーンに対してHIFU超音波プローブの位置を視覚的に追跡する。
【００１０】
本発明は、さまざまなコンポーネントおよびコンポーネントの配置ならびにさまざまなステップおよびステップの配置の形を取りうる。図面は単に好ましい実施形態を例解するためのものであって、本発明を限定するものと解釈されるものではない。
【図面の簡単な説明】
【００１１】
【図１】スキャナの被験体台に位置している統合されたHIFU装置をもつCTスキャナを含む例示的な撮像システムを概略的に示す図である。
【図２】図１のスキャナによって収集されるCT画像データを使ってアブレーションまたは薬投与のための温熱療法のためのHIFUを案内する例示的な方法を示す図である。
【図３】体積画像データおよび関心対象の組織の画像を種々の配向からの画像において示す、例示的なHIFU処置計画GUIを示す図である。
【図４】図３のHIFU処置計画GUIを、同定された処置領域および仮想プローブおよびマーカーとともに示す図である。
【図５】実際および仮想のプローブおよびマーカーが整列されている、図４のHIFU処置計画GUI上に重畳された透視画像を第一の配向から示す図である。
【図６】実際および仮想のプローブおよびマーカーが整列されている、図４のHIFU処置計画GUI上に重畳された透視画像を、図５とは異なる配向から示す図である。
【図７】HIFU手順のための例示的な機器構成を概略的に示す図である。
【図８】実際の手順が計画にマッピングされることを検証および／または確認するためのフォローアップHIFU  GUIを示す図である。
【発明を実施するための形態】
【００１２】
図１は、システム１００を概略的に示している。システム１００は、円錐ビームCT  Cアームまたは他のCTスキャナのような計算器断層撮影（CT）スキャナ１０１を含む。スキャナ１０１は、天井、壁、床または検査室内の装置に取り付けられることができ、あるいは車輪などをもち、容易に検査室に出し入れできるポータブル装置であることもできる、静止部１０２を含む。Cアーム１０４は、結合１０６を介して静止部１０２に枢動可能に結合され、所定の弧（たとえば少なくとも180度）を通じて枢動するよう構成されている。Cアーム１０４は、スキャンのためのHIFU手順の前および／またはHIFU手順中に枢動されることができる。
【００１３】
放射源１０８がCアーム１０４の一端に結合されており、放射感応検出器アレイ１１０がCアーム１０４の他端に結合されている。放射源１０８は、検出器アレイ１１０から離間されており、両者の間に検査領域１１２が形成される。好適な検出器アレイ１１０は、フラットパネル検出器などといった二次元（2D）検出器アレイを含む。検出器アレイ１１０は、放射を検出するのに応答して信号を生成する。源１０８または検出器１１０の少なくとも一方は、たとえばCアーム１０４とは独立に、互いのほうに向かって動いてもよく、および／またはCに沿ったスリーブ内で変位されてもよい。
【００１４】
被験体台１１４は、基部１２３に可動に取り付けられたテーブルトップ１１５を含む。テーブルトップ１１５は、検査領域１１２において被験体を支持する第一の側１１９と、反対側１２１とをもつ。図示したテーブルトップ１１５は、側１１９と１２１の間に物質のない領域または開口を与えるアパーチャ１１７を含む。窓１１８がアパーチャ１１７に対して配置されており、窓１１８がアパーチャ１１７を閉じる第一の位置と窓１１８がアパーチャ１１７を閉じない第二の位置との間で動くよう構成される。図示した実施形態では、窓１１８は閉じた位置に示されている。
【００１５】
窓１１８は、テーブルトップ１１５にさまざまな仕方で取り付けられることができる。たとえば、一例では、窓１１８の側辺が、テーブルトップ１１５のまたはテーブルトップ１１５に取り付けられた凹部内に位置され、窓１１８は該凹部内で前記少なくとも二つの位置の間で、人間または機械の制御のもとに、滑動する。窓１１８を所望される位置に保持するために任意的な固定器が使用されることができる。もう一つの例では、窓１１８はテーブルトップ１１５にヒンジなどを介して取り付けられ、前記少なくとも二つの位置の間で揺動する。同様に、窓１１８を開位置および／または閉位置に係合させ、保持するために固定器が使用されることができ、位置の間で窓１１８が動くよう解放されることができる。他のアプローチも本稿で考えられている。
【００１６】
再構成器１２０は、検出器アレイ１１０によって出力された信号を再構成し、3D体積画像データおよび／または2D画像を生成する。スキャナ・コントローラ１２２はスキャナ１０１を制御する。それは、Cアーム１０４を検査領域１１２に対して特定の角度配向に枢動させること、放射を放出するよう源１０８を作動させること、放射を検出するよう検出器アレイ１１０を作動させること、他の装置と情報を受領および／または搬送することを含む。一例では、スキャナ・コントローラ１２２は、たとえば窓１１８を開くおよび／または閉じるよう、および／または窓１１８を所定の位置に保持する機構（たとえば、ロッキング・ピン、電磁ブレーキなど）を作動させるよう、窓１１８をも制御する。
【００１７】
高密度焦点式超音波（HIFU）装置１２４は、超音波プローブ１２６を含む。超音波プローブ１２６は、図示した実施形態では、テーブルトップ１１５のアパーチャ１１７および窓１１８の下に位置されている。HIFU装置はさらに、超音波送信のようなプローブ１２６の動作を制御するHIFUコントローラ１２８を含む。足ペダル、ジョイスティック、リモコンなどといった作動装置１３１が、高周波の合焦した超音波を放出するようプローブ１２６のトランスデューサ素子を作動させる。図示した実施形態では、HIFU装置１２４は、スキャナ１０１と統合されており、たとえば被験体台１１４の基部１２３に取り付けられている。もう一つの実施形態では、HIFU装置１２４は、被験体台１１４の上または横に位置されることができる。
【００１８】
プローブ・ホルダー１３０は、HIFU手順の前、間および／または後にプローブ１２６を位置決めするための関節式アーム１３２を含む。関節式アーム１３２は、一つまたは複数の自由度を提供する一つまたは複数の可動関節を含んでいてもよく、ユーザーによって手動でおよび／またはプローブ・ホルダー・コントローラ１３６により電気的に動かすことのできる下位部分を含んでいてもよい。図示した実施形態では、プローブ・ホルダー１３０は被験体台１１４に固定器１３４を介して取り付けられる。一例では、固定器１３４は、クランプのように容易に除去でき、別の例では、固定器１３４はボルト、ねじ、リベットなどを含む。別の実施形態では、プローブ・ホルダー１３０は、ポータブルまたは静止スタンドなどといった別個の装置に取り付けられる。
【００１９】
処置プランナー１３８は、スキャナ１０１（および／または他のスキャナ）から再構成された画像データおよび任意的に、MR、CT、US、陽電子断層撮影（PET）、X線透視法などといった一つまたは複数の撮像モダリティからの撮像データを受領する。処置プランナー１３８は、ユーザーと対話するグラフィカル・ユーザー・インターフェース（GUI）を視覚的に呈示する。該GUIにおいて、受領された再構成された画像データおよび／または任意的な撮像データが（たとえば別個におよび／または一緒に融合されて）視覚的に表示され、HIFU計画を生成するために使われる。そのような生成は、処置すべき関心対象の組織に対応する一つまたは複数のHIFUターゲット・ゾーンおよび／または超音波プローブの位置および／または配向を同定することを含んでいてもよい。
【００２０】
処置ナビゲーター１４０は、超音波プローブ１２６を整列させ、追跡するために使われるデータを含むGUIを視覚的に呈示する。これはたとえば、整列および／または追跡が、前記データの収集および呈示と同時並行して実行できるよう、リアルタイムで行なわれる。一例では、これは、超音波プローブ１２６のリアルタイム画像データ（スキャナ１０１によって取得される）を表示される体積に重畳させ、生成されたHIFU計画に基づいてプローブ１２６を整列させることを含む。これは、少なくとも二つの配向について実行されることができ、このことは、HIFU手順のためのプローブ１２６の三次元（3D）位置を確認することを容易にする。処置ナビゲーター１４０は、プローブ１２６の配置を追跡するおよび／またはアブレーションもしくは温熱療法手順を案内するために、HIFU手順の間にスキャナ１０１によって収集されるリアルタイム画像データを（たとえば上記で論じたように、たとえば前記リアルタイム・データおよび前記計画を重畳させることによって）表示するためにも使われることができる。
【００２１】
主コントローラ１４２は、スキャナ・コントローラ１２２、HIFUコントローラ１２８またはプローブ・ホルダー・コントローラ１３６のうちの少なくとも一つを制御する。そのような制御は、スキャナ・コントローラ１２２に、Cアーム１０４を枢動させるおよび／または放射源１０８および放射感応検出器アレイ１１０を作動させるよう命令することを含んでいてもよい。そのような制御は、HIFUコントローラ１２８に、関心対象の組織に集中した高強度の合焦した超音波を放出するよう命令することを含んでいてもよい。そのような制御は、プローブ・ホルダー・コントローラ１３６に、プローブ１２６をアパーチャ１１７およびHIFU手順のためのHIFUマーカーとの接続の下に位置させるおよび／またはプローブ１２６を被験体台１１４におけるホーム位置または保管位置に動かすよう命令することを含んでいてもよい。
【００２２】
処置プランナー１３８、処置ナビゲーター１４０および／または主コントローラ１４２は、物理的なメモリまたは他の非一時的記憶媒体のようなコンピュータ可読記憶媒体上に埋め込まれたまたはエンコードされた一つまたは複数のコンピュータ実行可能命令を実行する一つまたは複数のプロセッサ（マイクロプロセッサ、コントローラなど）により実装できる。追加的または代替的に、前記一つまたは複数のプロセッサは、信号、搬送波および／または他の一時的記憶媒体によって担持されるコンピュータ実行可能命令を実行することができる。図示した実施形態では、処置プランナー１３８、処置ナビゲーター１４０および主コントローラ１４２は、コンピューティング装置１４４のコンピュータ可読記憶媒体に含まれている。別の実施形態では、処置プランナー１３８、処置ナビゲーター１４０または主コントローラ１４２の一つまたは複数は他の位置であってもよい。
【００２３】
上記のある変形では、スキャナ１０１は通常の閉環（ドーナッツの穴）形のCTスキャナである。
【００２４】
別の変形では、HIFU装置１２４は、被験体台１１４の基部１２３の外部のカートまたは他の装置上に位置している。この例では、HIFU装置１２４は、上記のような被験体台１１４のアパーチャ１１７を通して、あるいは被験体台１１４の上からまたは横で使用されることができる。HIFU装置１２４がテーブルトップ１１５の下から使われるのでない場合は、アパーチャ１１７および窓１１８は省略できる。
【００２５】
別の変形では、HIFU装置１２４は、スキャナ１０１と接続してまたは他の仕方で被験体の上に位置され、保管される。同様に、この例では、HIFU装置１２４は被験体台１１４のアパーチャ１１７を通して、あるいは被験体台１１４の上からまたは横で使用されることができ、HIFU装置１２４がテーブルトップ１１５の下から使われるのでない場合は、アパーチャ１１７および窓１１８は省略できる。
【００２６】
別の変形では、プローブ１２６は追加的または代替的に、光学式および／または電磁式（EM）追跡を使って追跡されることができる。
【００２７】
別の変形では、プローブ１２６は、関心領域の温度を示す値を測定するコンポーネント（たとえばサーミスタなど）を含む。
【００２８】
図２は限定しない方法を示している。
【００２９】
本方法は、アブレーションまたは薬投与のための温熱療法のようなHIFU手順を案内するためのものである。案内は、スキャナ１０１または通常のCTスキャナによって取得されたCT画像データを使って実行される。この例では、HIFU装置（たとえばHIFU装置１２４）はスキャナ１０１と物理的に統合されている。
【００３０】
本稿で記述される諸方法における工程の順序は限定するものでないことは理解される。よって、本稿では他の順序も考えられている。さらに、一つまたは複数の工程が省略されてもよく、および／または一つまたは複数の追加的な工程が含まれていてもよい。
【００３１】
２０２では、被験体の関心領域がスキャンされる。
【００３２】
２０４では、収集されたデータが再構成され、体積画像データを生成する。
【００３３】
２０６では、体積画像データが任意的に他の撮像データと融合される。
【００３４】
２０８では、体積画像データ（および／または融合されたデータ）がHIFU手順計画を生成するために使われる。本稿で記載されるように、これは、一つまたは複数のHIFUゾーンおよび／またはプローブ位置および／または配向をHIFU手順計画に基づいて同定することを含む。
【００３５】
２１０では、計画は、たとえば該計画に基づくHIFU手順のためにHIFU超音波プローブを所定の位置に配置するためのリアルタイム撮像との関連で使われる。
【００３６】
２１２では、CTスキャナによる撮像がHIFU手順を追跡および／または案内するために使われる。
【００３７】
上記の少なくとも一部は、コンピュータ・プロセッサ（単数または複数）によって実行されたときに該プロセッサに記載される諸工程を実行させるコンピュータ可読記憶媒体上にエンコードされたまたは埋め込まれたコンピュータ可読命令によって実装されてもよい。追加的または代替的に、前記コンピュータ可読命令の少なくとも一つは信号、搬送波または他の一時的媒体によって搬送される。
【００３８】
本稿に記載されるシステム１００を使った例示的な作業フローを、図３〜図８との関連で次に論じる。
【００３９】
まず図３を参照するに、処置プランナー１３８はGUI  ３００を表示する。GUI  ３００は、３０２における画像データの体積と、異なる配向３１０、３１２および３１４からの、みな関心対象のターゲット組織３１６を示している、前記体積画像データからの選択された画像３０４、３０６および３０８とを視覚的に呈示する。
【００４０】
図４では、ユーザーによって同定された計画されているアブレーション・ゾーン４００がGUI  ３００において、異なる画像３０４、３０６および３０８との関連で示されている。GUI  ３００にはまた、X線不透明なマーカー４０２および仮想HIFUプローブ４０６を表わすグラフィック印も示されている。
【００４１】
図５および図６では、処置ナビゲーター１４０がGUI  ５００および６００を表示する。図５では、GUI  ５００は、前記画像データの体積の上に重畳されたスキャナ１０１によって得られたリアルタイム画像をもつ正面配向５０２を示している。HIFU超音波プローブ１２６およびマーカーは仮想プローブ４０６およびマーカー４０２と整列されている。図６は、その同じ情報を異なる配向６０２から示している。
【００４２】
図７は、テーブルトップ１１５上に載っている被験体７０２を、プローブ１２６、プローブ・コントローラ１２８、プローブ・アクティベーター１３１（この実施形態ではジョイスティック）、関節式アーム１３２および固定器１３４を含むHIFU装置１２４ならびに仮想プローブ４０６およびマーカー４０２とともに示している。関節式アーム１３２は、手動で位置決めされるクランプ７０４およびプローブ・アクティベーター１３１を介して電子的に位置決めされるロボット・アーム７０６を含む。この実施形態では、プローブ１２６は被験体７０２の上に位置されており、テーブルトップ１１５の下、アパーチャ１１７の背後ではないことを注意しておく。
【００４３】
図８は、フォローアップ体積データ８０２およびフォローアップ画像８０４〜８０８を含むフォロー・スキャンからのデータをもつGUI  ３００を示している。このGUIにおける画像は、実際のアブレーション８１０が計画と整列していることを検証および確認するために使用できる。
【００４４】
本発明について、好ましい実施形態を参照しつつ記載してきた。以上の詳細な記述を読み、理解すれば他の者にも修正や変更が思いつくことがありうる。本発明は、付属の請求項またはその等価物の範囲にはいる限りそのようなすべての修正および変更を含むものとして解釈されることが意図されている。
【図１】
2015512671.tif 000003
【図２】
2015512671.tif 000004
【図３】
2015512671.tif 000005
【図４】
2015512671.tif 000006
【図５】
2015512671.tif 000007
【図６】
2015512671.tif 000008
【図７】
2015512671.tif 000009
【図８】
2015512671.tif 000010
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
CTスキャナであって：
検査領域を通過する放射を放出する放射源；
前記検査領域をはさんで前記源の反対側に位置する放射感応検出器であって、前記検査領域およびその中の被験体の一部を通過する放射を検出してそれを示す信号を生成する放射感応検出器；および
前記被験体を前記検査領域内で位置させる、基部を含んでいる被験体台を含んでいる、
CTスキャナと；
前記被験体台の基部に統合されている、超音波プローブを含んでいるHIFU装置と；
前記CTスキャナおよび前記HIFU装置の両方の動作を制御する主コントローラと；
グラフィカル・ユーザー・インターフェースにおいて、HIFU手順のための少なくとも一つの基準マーカーに対する前記超音波プローブの位置を示す、前記スキャナによって得られたCT画像データを、先に生成されたHIFU手順計画に重畳させて視覚的に呈示する処置ナビゲーターとを有する、
システム。
【請求項２】
前記少なくとも一つの基準マーカーに対する前記超音波プローブの位置の変化が、前記先に生成されたHIFU手順計画に重畳された前記CTデータの前記視覚的な呈示において視覚的に追跡される、請求項１記載のシステム。
【請求項３】
グラフィカル・ユーザー・インターフェースにおいて、前記被験体の先に得られたCT体積データを視覚的に呈示し、ユーザーによって同定されたHIFU手順ゾーンを示す信号を受領し、前記先に得られたCT体積データおよび前記HIFU手順ゾーンに基づいて前記HIFU手順計画を生成する処置プランナーをさらに有する、
請求項１または２記載のシステム。
【請求項４】
前記先に得られたCT体積データが前記被験体のMR、PETまたはUSデータと融合され、前記HIFU手順計画はその組み合わされたデータおよび前記HIFU手順ゾーンに基づいて生成される、請求項３記載のシステム。
【請求項５】
前記被験体台が：
アパーチャと；
前記アパーチャが閉鎖される第一の位置と前記アパーチャが開放される第二の位置との間で動くよう構成された窓とを有し、
前記超音波プローブは前記アパーチャの背後に位置され、前記窓が前記第二の位置にあるときに前記HIFU手順の間に前記被験体にHIFU超音波を加えるよう作動させられる、
請求項１ないし４のうちいずれか一項記載のシステム。
【請求項６】
前記被験体台に取り付けられたプローブ・ホルダーをさらに有し、前記プローブ・ホルダーは前記アパーチャの背後の位置に前記超音波プローブを保持する、
請求項５記載のシステム。
【請求項７】
前記プローブ・ホルダーが、少なくとも二つの位置の間で動くよう構成された関節式アームを有し、前記少なくとも二つの位置の間で前記関節式アームを動かすことが、前記プローブを前記少なくとも二つの位置の間で動かす、
請求項６記載のシステム。
【請求項８】
前記少なくとも二つの位置の間で前記関節式アームを電子的に動かすプローブ・ホルダー・コントローラをさらに有する、
請求項６または７記載のシステム。
【請求項９】
前記HIFU手順が、関心対象組織への薬投与と関連した組織アブレーション手順または組織温熱療法手順からなる手順の群からの手順である、請求項１ないし８のうちいずれか一項記載のシステム。
【請求項１０】
前記HIFU装置が物理的に前記被験体台に統合されている、請求項１ないし９のうちいずれか一項記載のシステム。
【請求項１１】
前記処置ナビゲーターが、前記グラフィカル・ユーザー・インターフェースにおいて、リアルタイムCTデータを、前記先に生成されたHIFU手順計画にリアルタイムで重畳させて視覚的に呈示する、請求項１ないし１０のうちいずれか一項記載のシステム。
【請求項１２】
CTスキャナを使って、被験体のHIFU手順との関連でHIFU装置のHIFU超音波プローブのCT画像データを収集する段階と；
前記CT画像データを、三次元体積画像データおよび視覚的に同定されたHIFU処置ゾーンを含むHIFU手順計画の視覚的呈示の上に重畳する段階と；
前記視覚的に呈示された重畳されたデータを使って、前記HIFU超音波プローブを、前記HIFU処置ゾーンと整列させる段階であって、前記HIFU超音波プローブは前記CTスキャナの被験体台の基部に統合されたHIFU装置の一部である、段階と；
前記視覚的に呈示された重畳されたデータ中の前記HIFU超音波プローブの位置における変化を視覚的に追跡する段階とを含む、
方法。
【請求項１３】
前記被験体台のテーブルトップのアパーチャを覆う窓を開く段階であって、前記HIFU超音波プローブは前記アパーチャの下に位置されている、段階と；
前記窓が開いた前記アパーチャを通じた前記被験体の処置のために、前記HIFU超音波プローブを、前記HIFU処置ゾーンと整列させる段階とをさらに含む、
請求項１２記載の方法。
【請求項１４】
前記HIFU手順を実行していないときに、前記窓を閉じ、それにより前記アパーチャを覆う段階をさらに含む、
請求項１３記載の方法。
【請求項１５】
前記HIFU超音波プローブを支持する前記HIFU装置の関節式アームを動かして、前記HIFU超音波プローブを前記アパーチャの外に動かす段階をさらに含む、請求項１２または１３記載の方法。
【国際調査報告】
2015512671.tif 000011
2015512671.tif 000012
2015512671.tif 000013
2015512671.tif 000014